(57)【要約】【課題】空気を浄化することのできる空気清浄装置において、送風口からの送風による、本体の吸気口へ流れ込む気流を増加することを目的とする。【解決手段】送風口に設けた第１の風向調整手段と第２の風向調整手段と、第１の風向調整手段と第２の風向調整手段とを制御する制御手段とを備え、前記本体ケースの天面には前記送風口を有し、第１の風向板は、本体ケースにおける前面側に位置すると共に、第２の風向板は、本体ケースにおける背面側に位置すると共に、本体ケースにおける前面側が、本体ケースの前記天面から仰角方向へ第２の角度まで回動可能で、本体ケースの前記天面は、水平面に対して、第３の角度、本体ケースの背面から前面に向うにつれて上方へ傾斜する第１の傾斜面で構成とし、制御手段によって、第１の風向板は、閉じた状態で、第２の風向板は、第３の角度より小さい角度回動した状態で、送風手段を運転することを特徴としたものである。【選択図】図２
2014190604.tif 000002
【特許請求の範囲】
【請求項１】
吸気口と送風口を有する略箱形状の本体ケースと、この本体ケース内に設けた送風手段と空気清浄手段と、前記送風口に設けた第１の風向調整手段と第２の風向調整手段と、前記送風手段と前記第１の風向調整手段と前記第２の風向調整手段とを制御する制御手段とを備え、前記本体ケースの天面には前記送風口を有し、前記第１の風向調整手段は、第１の風向板と、この第１の風向板を前記送風口に軸支する第１の軸支部と、この第１の軸支部を介して前記第１の風向板を回動する第１の回動手段とから形成し、前記第１の風向板は、前記本体ケースにおける前面側に位置すると共に、前記本体ケースにおける前面側が、前記本体ケースの前記天面から仰角方向へ第１の角度まで回動可能で、前記第２の風向調整手段は、第２の風向板と、この第２の風向板を前記送風口に軸支する第２の軸支部と、この第２の軸支部を介して前記第２の風向板を回動する第２の回動手段とから形成し、前記第２の風向板は、前記本体ケースにおける背面側に位置すると共に、前記本体ケースにおける前面側が、前記本体ケースの前記天面から仰角方向へ第２の角度まで回動可能で、前記本体ケースの前記天面は、水平面に対して、第３の角度、前記本体ケースの背面から前面に向うにつれて上方へ傾斜する第１の傾斜面で構成とし、前記制御手段によって、前記第１の風向板は、閉じた状態で、前記第２の風向板は、前記第３の角度より小さい角度回動した状態で、前記送風手段を運転することを特徴とする空気清浄機。
【請求項２】
前記第１の風向板の前記本体ケースにおける前後方向の寸法は、前記第２の風向板の前記本体ケースにおける前後方向の寸法より大きいことを特徴とする請求項１に記載の空気清浄機。
【請求項３】
前記本体ケースにおける背面側の前記第１の風向板の背面端部には、この背面端部から前記本体ケースにおける背面側へ伸びる第１の延長部を有し、前記制御手段によって、前記第１の風向板および前記第２の風向板が閉じた状態では、前記第１の延長部は、前記第２の風向板の下方に位置することを特徴とする請求項１または２に記載の空気清浄機。
【請求項４】
前記制御手段によって、前記第１の風向板が、閉じた状態になると、前記第１の風向板の上面と、前記本体ケースの前記天面とは、同一面上に位置することを特徴とする請求項１から３のいずれかに記載の空気清浄機。
【請求項５】
前記本体ケースの前記天面の前記第１の傾斜面には、前記本体ケースのおける前面側に第２の傾斜面を有し、この第２の傾斜面は、水平面に対して、第４の角度、前記本体ケースの背面から前面に向うにつれて下方へ傾斜することを特徴とする請求項１から４のいずれかに記載の空気清浄機。
【発明の詳細な説明】
【技術分野】
【０００１】
本発明は、空気を浄化することのできる空気清浄装置に関するものである。
【背景技術】
【０００２】
従来のこの種の空気清浄装置の構成は以下のようになっていた。
【０００３】
すなわち、吸気口と送風口を有する本体ケースと、この本体ケース内で、前記吸気口から前記送風口に送風される送風路に空気清浄手段を設けた構成となっていた（例えば、特許文献１参照）。
【０００４】
以下、従来の空気清浄装置について説明する。空気調和装置は浄化手段と送風手段と吹出口と１枚の吹出ルーバーと埃センサーからなり、埃センサーより出力される粉塵の粒径の大きさに応じて吹出ルーバーを仰角方向に角度調整する制御部を備えることにより、粉塵をその粒径に適した気流により効果的に空気調和装置に到達させ、部屋の空気を清浄する。
【先行技術文献】
【特許文献】
【０００５】
【特許文献１】特許第４８４０１８１号公報
【発明の概要】
【発明が解決しようとする課題】
【０００６】
上記従来例における課題は、床上での吸気口へ流れ込む吸込気流の風速を更に増加させることであった。
【０００７】
送風口からの吹き出し角度が仰角方向へ大きいものに比べると、送風口からの吹き出し角度が仰角方向へ小さいものは、室内での循環気流の渦の中心が下るものである。このように、循環気流の渦の中心が下ることにより、床上での本体の吸気口へ流れ込む気流の垂直方向の高さが小さくなる。これによって、床上での吸気口へ流れ込む気流の風速を増加させることができるものであった。また、送風口から吹き出す風速を大きくすることによっても、床上での吸気口へ流れ込む気流の風速を増加させることができるものであった。
【０００８】
そこで、本発明は、上記従来の課題を解決するものであり、床上での吸気口へ流れ込む気流の風速を更に増加させる空気清浄装置を提供することを目的とする。
【課題を解決するための手段】
【０００９】
そして、この目的を達成するために、本発明は、吸気口と送風口を有する略箱形状の本体ケースと、この本体ケース内に設けた送風手段と空気清浄手段と、前記送風口に設けた第１の風向調整手段と第２の風向調整手段と、前記送風手段と前記第１の風向調整手段と前記第２の風向調整手段とを制御する制御手段とを備え、前記本体ケースの天面には前記送風口を有し、前記第１の風向調整手段は、第１の風向板と、この第１の風向板を前記送風口に軸支する第１の軸支部と、この第１の軸支部を介して前記第１の風向板を回動する第１の回動手段とから形成し、前記第１の風向板は、前記本体ケースにおける前面側に位置すると共に、前記本体ケースにおける前面側が、前記本体ケースの前記天面から仰角方向へ第１の角度まで回動可能で、前記第２の風向調整手段は、第２の風向板と、この第２の風向板を前記送風口に軸支する第２の軸支部と、この第２の軸支部を介して前記第２の風向板を回動する第２の回動手段とから形成し、前記第２の風向板は、前記本体ケースにおける背面側に位置すると共に、前記本体ケースにおける前面側が、前記本体ケースの前記天面から仰角方向へ第２の角度まで回動可能で、前記本体ケースの前記天面は、水平面に対して、第３の角度、前記本体ケースの背面から前面に向うにつれて上方へ傾斜する第１の傾斜面で構成とし、前記制御手段によって、前記第１の風向板は、閉じた状態で、前記第２の風向板は、前記第３の角度より小さい角度回動した状態で、前記送風手段を運転することを特徴としたものであり、これにより所期の目的を達成するものである。
【発明の効果】
【００１０】
本発明によれば、吸気口と送風口を有する略箱形状の本体ケースと、この本体ケース内に設けた送風手段と空気清浄手段と、前記送風口に設けた第１の風向調整手段と第２の風向調整手段と、前記送風手段と前記第１の風向調整手段と前記第２の風向調整手段とを制御する制御手段とを備え、前記本体ケースの天面には前記送風口を有し、前記第１の風向調整手段は、第１の風向板と、この第１の風向板を前記送風口に軸支する第１の軸支部と、この第１の軸支部を介して前記第１の風向板を回動する第１の回動手段とから形成し、前記第１の風向板は、前記本体ケースにおける前面側に位置すると共に、前記本体ケースにおける前面側が、前記本体ケースの前記天面から仰角方向へ第１の角度まで回動可能で、前記第２の風向調整手段は、第２の風向板と、この第２の風向板を前記送風口に軸支する第２の軸支部と、この第２の軸支部を介して前記第２の風向板を回動する第２の回動手段とから形成し、前記第２の風向板は、前記本体ケースにおける背面側に位置すると共に、前記本体ケースにおける前面側が、前記本体ケースの前記天面から仰角方向へ第２の角度まで回動可能で、前記本体ケースの前記天面は、水平面に対して、第３の角度、前記本体ケースの背面から前面に向うにつれて上方へ傾斜する第１の傾斜面で構成とし、前記制御手段によって、前記第１の風向板は、閉じた状態で、前記第２の風向板は、前記第３の角度より小さい角度回動した状態で、前記送風手段を運転することを特徴とする構成にしたものである。
【００１１】
これにより、制御手段によって、第１の風向板は、閉じた状態で、第２の風向板は、第３の角度より小さい角度回動した状態で、送風手段を運転するので、送風口の開口は、第２の風向板部分のみとなり、吹き出し風速が増大する。更に、第１の風向板は、本体ケースにおける前面側に位置し、第２の風向板は、本体ケースにおける背面側に位置するので、送風口から第２の風向板に沿って吹き出された空気の一部は、第１の風向板によるコアンダ効果によって、第１の風向板に沿うように吹き出すので、送風口からの吹き出し角度が仰角方向へより小さいものとなる。
【００１２】
結果として、床上での本体の吸気口へ流れ込む気流の垂直方向の高さを小さくできると共に、吹き出し風速が増大できるので、床上での吸気口へ流れ込む気流の風速を更に増加させることができる。
【図面の簡単な説明】
【００１３】
【図１】本発明の実施の形態１の空気清浄装置の斜視図
【図２】同空気清浄装置の概略縦断面を示す図
【図３】同空気清浄装置の第１の風向調整手段および第２の風向調整手段を示す概略図
【図４】同空気清浄装置の送風口を示す斜視図
【発明を実施するための形態】
【００１４】
（実施の形態１）
図１から図４に示すように、本実施形態の空気清浄装置は、吸気口１と送風口２を有する本体ケース３と、この本体ケース３内に設けられた空気清浄手段４と、送風手段５と、制御手段６と、操作部７を備えている。
【００１５】
本体ケース３は、縦長四角箱形状で、本体ケース３の前面の下部に吸気口１を備え、本体ケース３の天面の背面側に横長四角形状の送風口２を設けている。この送風口２には、開閉自在に設けられた第１の風向調整手段８と第２の風向調整手段９とを備えている。
【００１６】
空気清浄手段４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００１７】
送風手段５は、空気清浄手段４と本体ケース３の送風口２との間の風路に位置し、ケーシング部１０と、モーター部１１と、ファン部１２とから形成している。ケーシング部１０は、スクロール形状で、側面に円形状の吸込口１３を備え、上面に横長四角形状の吐出口１４を設けている。このケーシング部１０には、モーター部１１が固定されている。このモーター部１１の軸部１５には、遠心送風タイプのファン部１２が固定されている。モーター部１１によってファン部１２が回転すると、本体ケース３外の空気が、吸気口１から本体ケース３内に吸気され、空気清浄手段４、送風手段５とを順次介して、ファン部１２から上方の送風口２へと送風されるものである。
【００１８】
操作部７は、本体ケース３の天面の送風口２より前面側に位置し、この操作部７の下方には、制御手段６を備えている。この制御手段６は、操作部７からの入力により、送風手段５と第１の風向調整手段８と第２の風向調整手段９とを制御するものである。
【００１９】
第１の風向調整手段８は、横長四角形状の平板である第１の風向板１７と、この第１の風向板１７を送風口２に回動自在に軸支する第１の軸支部１８とから形成している。この第１の軸支部１８は、第１の風向板１７の短辺側から外方へ伸びた第１の軸部１９と、送風口２に設けられた水平方向の孔で、この第１の軸部１９が入る第１の軸受部２０とからなる。第１の軸部１９を介して第１の風向板１７を回動させる第１の回動手段２１を備えている。第１の風向板１７は、本体ケース３における前面側に位置すると共に、第１の回動手段２１によって、本体ケース３における前面側が、本体ケース３の天面から仰角方向へ第１の角度まで回動可能である。
【００２０】
第２の風向調整手段９は、横長四角形状の平板である第２の風向板２２と、この第２の風向板２２を送風口２に回動自在に軸支する第２の軸支部２３とから形成している。この第２の軸支部２３は、第２の風向板２２の短辺側から外方へ伸びた第２の軸部２４と、送風口２に設けられた水平方向の孔で、この第２の軸部２４が入る第２の軸受部２５とからなる。第２の軸部２４を介して第２の風向板２２を回動させる第２の回動手段２６を備えている。第２の風向板２２は、本体ケース３における前面側に位置すると共に、第２の回動手段２６によって、本体ケース３における前面側が、本体ケース３の天面から仰角方向へ第２の角度まで回動可能である。
【００２１】
本体ケース３の天面は、水平面に対して、第３の角度、本体ケース３の背面から前面に向うにつれて上方へ傾斜する第１の傾斜面で構成いている。
【００２２】
本実施形態における特徴は、制御手段６によって、第１の風向板１７は、閉じた状態で、第２の風向板２２は、第３の角度より小さい角度回動した状態で、送風手段５を運転する点である。
【００２３】
これにより、制御手段６によって、第１の風向板１７は、閉じた状態で、第２の風向板２２は、第３の角度より小さい角度回動した状態で、送風手段５を運転するので、送風口２の開口は、第２の風向板２２分のみとなり、吹き出し風速が増大する。更に、第１の風向板１７は、本体ケース３における前面側に位置し、第２の風向板２２は、本体ケース３における背面側に位置するので、送風口２から第２の風向板２２に沿って吹き出された空気の一部は、第１の風向板１７によるコアンダ効果によって、第１の風向板１７に沿うように吹き出すので、送風口２からの吹き出し角度が仰角方向へより小さいものとなる。
【００２４】
結果として、床上での本体の吸気口１へ流れ込む気流の垂直方向の高さを小さくできると共に、吹き出し風速が増大できるので、床上での吸気口１へ流れ込む気流の風速を更に増加させることができる。
【００２５】
また、第１の風向板の前記本体ケースにおける前後方向の寸法は、第２の風向板の前記本体ケースにおける前後方向の寸法より大きいものである。
【００２６】
これにより、送風口２の開口が小さくなり、吹き出し風速が増大し、第１の風向板に沿って流れる距離が伸びるので、コアンダ効果を高め、送風口２からの吹き出し角度が仰角方向へより小さくできるものである。
【００２７】
また、本体ケースにおける背面側の第１の風向板の背面端部には、この背面端部から前記本体ケースにおける背面側へ伸びる第１の延長部２７を有し、制御手段６によって、第１の風向板および第２の風向板が閉じた状態では、第１の延長部は、第２の風向板の下方に位置するものである。
【００２８】
これにより、送風口２から第２の風向板２２に沿って吹き出された空気を本体内部へ逆流を抑制し、送風することができるものとなる。
【００２９】
また、制御手段によって、第１の風向板が、閉じた状態になると、第１の風向板の上面と、本体ケースの天面とは、同一面上に位置するものである。
【００３０】
これにより、送風口２から吹き出された風が第１の風向板と本体ケースの天面に沿って流れ、コアンダ効果を高め、送風口２からの吹き出し角度が、仰角方向へより小さくできるものである。
【００３１】
また、本体ケースの天面の第１の傾斜面には、本体ケースのおける前面側に第２の傾斜面を有し、この第２の傾斜面は、水平面に対して、第４の角度、本体ケースの背面から前面に向うにつれて下方へ傾斜するものである。
【００３２】
これにより、コアンダ効果によって、本体ケースの天面の第１の傾斜面に沿って吹き出された風が、流れ仰角方向へより小さくできるものである。
【産業上の利用可能性】
【００３３】
本発明にかかる空気清浄装置は、本発明によれば、吸気口と送風口を有する略箱形状の本体ケースと、この本体ケース内に設けた送風手段と空気清浄手段と、前記送風口に設けた第１の風向調整手段と第２の風向調整手段と、前記送風手段と前記第１の風向調整手段と前記第２の風向調整手段とを制御する制御手段とを備え、前記本体ケースの天面には前記送風口を有し、前記第１の風向調整手段は、第１の風向板と、この第１の風向板を前記送風口に軸支する第１の軸支部と、この第１の軸支部を介して前記第１の風向板を回動する第１の回動手段とから形成し、前記第１の風向板は、前記本体ケースにおける前面側に位置すると共に、前記本体ケースにおける前面側が、前記本体ケースの前記天面から仰角方向へ第１の角度まで回動可能で、前記第２の風向調整手段は、第２の風向板と、この第２の風向板を前記送風口に軸支する第２の軸支部と、この第２の軸支部を介して前記第２の風向板を回動する第２の回動手段とから形成し、前記第２の風向板は、前記本体ケースにおける背面側に位置すると共に、前記本体ケースにおける前面側が、前記本体ケースの前記天面から仰角方向へ第２の角度まで回動可能で、前記本体ケースの前記天面は、水平面に対して、第３の角度、前記本体ケースの背面から前面に向うにつれて上方へ傾斜する第１の傾斜面で構成とし、前記制御手段によって、前記第１の風向板は、閉じた状態で、前記第２の風向板は、前記第３の角度より小さい角度回動した状態で、前記送風手段を運転することを特徴とする構成にしたものである。
【００３４】
これにより、制御手段によって、第１の風向板は、閉じた状態で、第２の風向板は、第３の角度より小さい角度回動した状態で、送風手段を運転するので、送風口の開口は、第２の風向板部分のみとなり、吹き出し風速が増大する。更に、第１の風向板は、本体ケースにおける前面側に位置し、第２の風向板は、本体ケースにおける背面側に位置するので、送風口から第２の風向板に沿って吹き出された空気の一部は、第１の風向板によるコアンダ効果によって、第１の風向板に沿うように吹き出すので、送風口からの吹き出し角度が仰角方向へより小さいものとなる。
【００３５】
結果として、床上での本体の吸気口へ流れ込む気流の垂直方向の高さを小さくできると共に、吹き出し風速が増大できるので、床上での吸気口へ流れ込む気流の風速を更に増加させることができる。
【００３６】
従って、家庭用や事務用などの、空気清浄装置等としての活用が期待されるものである。
【符号の説明】
【００３７】
１  吸気口
２  送風口
３  本体ケース
４  空気清浄手段
５  送風手段
６  制御手段
７  操作部
８  第１の風向調整手段
９  第２の風向調整手段
１０  ケーシング部
１１  モーター部
１２  ファン部
１３  吸込口
１４  吐出口
１５  軸部
１７  第１の風向板
１８  第１の軸支部
１９  第１の軸部
２０  第１の軸受部
２１  第１の回動手段
２２  第２の風向板
２３  第２の軸支部
２４  第２の軸部
２５  第２の軸受部
２６  第２の回動手段
２７  第１の延長部
【図１】
2014190604.tif 000003
【図２】
2014190604.tif 000004
【図３】
2014190604.tif 000005
【図４】
2014190604.tif 000006